(57)【要約】  本発明は、第１の光出射窓を有する発光デバイス１００であって、第１の光出射窓に対向する第１の面１１を有し、且つ少なくとも第１の光出射窓の方向に光を放射するように構成されたフレキシブル光源と、フレキシブル光源の第１の面１１上に設けられ、且つフレキシブル光源によって放射される光の少なくとも一部の少なくとも１つの光学的パラメータの値を変更するように構成された複数の第１の光学素子３０とを含み、隣接する第１の光学素子３０間の距離９１、９２がフレキシブル光源の形状に依存する、発光デバイス１００に関する。これは、フレキシブル光源の形状を変更することによって光学的パラメータの値が変更され、発光デバイスによって放射される光の少なくとも１つの光学的パラメータの値が、フレキシブル光源の第１の形状とは異なる第２の形状と比較して第１の形状では異なる発光デバイスを提供する。
2017531318.tif 000002
【特許請求の範囲】
【請求項１】
第１の光出射窓を有する、発光デバイスであって、
前記第１の光出射窓に対向する第１の面を有し、且つ少なくとも前記第１の光出射窓の方向に光を放射するフレキシブル光源と、
前記フレキシブル光源の前記第１の面上に設けられ、且つ前記フレキシブル光源によって放射される光の少なくとも一部の少なくとも１つの光学的パラメータの値を変更する複数の第１の光学素子とを含み、
隣接する第１の光学素子間の距離が前記フレキシブル光源の形状に依存し、前記発光デバイスによって放射される光の少なくとも一部の前記少なくとも１つの光学的パラメータの前記値が、前記フレキシブル光源の第１の形状とは異なる前記フレキシブル光源の第２の形状と比較して、前記第１の形状では異なる、
発光デバイス。
【請求項２】
前記フレキシブル光源は、少なくとも部分的に透明であり、前記フレキシブル光源の第２の面に対向する第２の光出射窓を更に含み、前記第２の面は、前記フレキシブル光源の前記第１の面の反対側にあり、前記第１の光学素子は、前記第２の光出射窓の方向に、前記フレキシブル光源によって放射される光の少なくとも一部を再指向させる、請求項１に記載の発光デバイス。
【請求項３】
前記フレキシブル光源は、フレキシブルライトガイドを含み、複数のアウトカップリング構造体が前記フレキシブルライトガイドの前記第１の面に又は前記第１の面の上に設けられる、請求項１又は２に記載の発光デバイス。
【請求項４】
前記フレキシブル光源は、フレキシブル基板上に設けられた複数の固体光源を含む、請求項１に記載の発光デバイス。
【請求項５】
前記フレキシブル光源は、フレキシブルで且つ少なくとも部分的に透明な基板上に設けられた複数の固体光源を含む、請求項２に記載の発光デバイス。
【請求項６】
前記複数の第１の光学素子の少なくとも１つは、反射素子を含む、請求項１乃至５の何れか一項に記載の発光デバイス。
【請求項７】
前記複数の第１の光学素子の少なくとも１つは、波長変換素子を含む、請求項１乃至６の何れか一項に記載の発光デバイス。
【請求項８】
前記複数の第１の光学素子の少なくとも１つは、第１の波長範囲に対して反射性であり、且つ前記第１の波長範囲と異なる第２の波長範囲に対して透過性である、請求項１乃至７の何れか一項に記載の発光デバイス。
【請求項９】
前記フレキシブル光源の前記第２の面上に複数の第２の光学素子を更に含み、隣接する第２の光学素子間の距離は、前記フレキシブル光源の形状に依存する、請求項２、３又は５乃至８の何れか一項に記載の発光デバイス。
【請求項１０】
前記第１の光学素子は、平坦な上面を有するピラミッド又は円錐形状を有し、前記ピラミッド又は円錐形状の底部は、前記フレキシブル光源の前記第１の面上に配置され、隣接する光学素子間の距離は、前記平坦な上面間の間隔によって規定される、請求項１乃至９の何れか一項に記載の発光デバイス。
【請求項１１】
前記フレキシブル光源は、円筒形状として成形される、請求項１乃至１０の何れか一項に記載の発光デバイス。
【請求項１２】
前記複数の第１の光学素子は、２次元アレイで配置される、請求項１乃至１１の何れか一項に記載の発光デバイス。
【請求項１３】
前記フレキシブル光源の所定の形状を固定する接続手段を更に含む、請求項１乃至１２の何れか一項に記載の発光デバイス。
【請求項１４】
前記フレキシブル光源は、前記第２の光出射窓の方向にも光を放射し、前記第２の光出射窓を介して前記発光デバイスによって放射される光の少なくとも１つの光学的パラメータの値は、前記フレキシブル光源の前記第１の形状とは異なる前記フレキシブル光源の前記第２の形状と比較して、前記第１の形状では異なる、請求項２、３又は５乃至１３の何れか一項に記載の発光デバイス。
【請求項１５】
請求項１乃至１４の何れか一項に記載の発光デバイスを含む、照明器具。
【発明の詳細な説明】
【技術分野】
【０００１】
本発明は、フレキシブル発光デバイスに関する。
【背景技術】
【０００２】
蛍光及び白熱照明は、例えば、オフィス空間又はショッピングモールの照明等の様々な照明適用例に一般的に使用される照明技術である。しかしながら、白熱照明は、競争上エネルギー効率に優れてはおらず、蛍光灯管は、一般的に、簡単に処分されない環境に優しくない要素を含む。近年では、発光ダイオード（ＬＥＤ：light emitting diode）等の固体光源が、主に他の既存技術と比べて優れたエネルギー効率により、照明適用例の市場において有力な競合相手として出現した。
【０００３】
ある適用例では、発光デバイスの１つ又は複数の光学的特徴、例えば放射光の色、強度及び／又は方向等の光学的パラメータ又は変数を変更し得ることが望ましい場合がある。解決策は、異なる電流を用いて固体光源を駆動するドライバ電子機器を使用すること、及び／又は異なる色を放射する光源を用いることである。しかしながら、これは、光学的特徴を変更する可能性を、発光デバイスを用いて与えられるものに限定する。
【０００４】
従って、その光学的特徴の幾つかの適応における設計の自由度が向上した発光デバイスに対するニーズが存在する。
【発明の概要】
【発明が解決しようとする課題】
【０００５】
先行技術の上述の及び他の欠点を鑑みて、本発明の一般的目的は、放射光の色及び／又は方向等の光学的特徴の１つ又は複数を適応させることが簡単な発光デバイスを提供することである。
【課題を解決するための手段】
【０００６】
本発明の第１の態様によれば、第１の光出射窓を有する発光デバイスであって、第１の光出射窓に対向する第１の面を有し、且つ第１の光出射窓の方向に光を放射するように構成されたフレキシブル光源と、フレキシブル光源の第１の面上に設けられ、且つフレキシブル光源によって放射される光の少なくとも一部の少なくとも１つの光学的パラメータの値を変更するように構成された複数の第１の光学素子とを含み、隣接する第１の光学素子間の距離がフレキシブル光源の形状に依存し、発光デバイスによって放射される光の少なくとも１つの光学的パラメータの値が、フレキシブル光源の第１の形状とは異なる第２の形状と比較してフレキシブル光源の第１の形状では異なる、発光デバイスが提供される。
【０００７】
本発明によれば、第１の光出射窓を介して放射される光の光学的パラメータの値（これは、発光デバイスの１つ又は複数の光学的特徴を示す）がフレキシブル光源の形状を変更することによって変更される、発光デバイスが提供される。複数の第１の光学素子がフレキシブル光源の第１の面上に配置されるため、第１の光学素子は、第１の光出射窓に対向し、且つ従って（動作中に）光が放射される第１の面と、第１の光出射窓との間に配置される。隣接する又は隣り合う第１の光学素子間の距離がフレキシブル光源の形状に依存するため、フレキシブル光源の形状の変化は、個々の第１の光学素子間の距離の変化をもたらし、従って複数の第１の光学素子の光学的特徴又は光学的パラメータ若しくは特性の１つ又は複数の値を変化させる。このようにして、発光デバイスの光学的パラメータの値は、フレキシブル光源の形状を変更することによって調節され得る。従って、放射光の光学的特性は、形状が変化すると変化する。例えば、フレキシブル光源が第１の形状として形成される場合、隣接する第１の光学素子は、第１の距離で離間され、フレキシブル光源が第１の形状と異なる第２の形状として成形される場合、隣接する第１の光学素子は、第２の距離で離間され、第２の距離は、第１の距離と異なる。第１の光学素子間の方向に、即ち第１の光学素子間の間隔又は距離の方向に放射される光は、第１の光学素子によって影響を受けないか、又は限られた量だけ影響を受け、例えば再指向される。第１の光学素子間の距離又は間隔を変更することにより、第１の光学素子によって影響を受けない、例えば再指向されない光の量が変更され、その結果、第１の光学素子によって影響を受ける、例えば再指向される光の量も変更され、且つ従って複数の第１の光学素子の１つ又は複数の光学的特徴が変更され、例えば光の色、輝度及び／又は方向など、発光デバイスによって放射される光の少なくとも一部の少なくとも１つの光学的パラメータ又は特性の値の変化をもたらす。従って、出射窓を介して発光デバイスから出射する光ビームは、フレキシブル光源の形状に依存する光学的特性又は特徴を有する。例えば、フレキシブル光源の第１の形状は、第１の光ビームをもたらし、フレキシブル光源の第２の形状は、発光デバイスから出射する第２の光ビームをもたらす。第１の光ビーム及び第２の光ビームは、少なくとも１つの光学的特性又はパラメータに関して異なり、例えば、第１の光ビームは、第１の色を有し、第２の光ビームは、第１の色と異なる第２の色を有し、且つ／又は第１の光ビームは、第１のビーム幅を有し、第２の光ビームは、第１のビーム幅と異なる第２のビーム幅を有する等である。従って、フレキシブル光源は、成形可能であり、且つ例えば光源を１つ又は複数の方向に屈曲させるか又は曲げることにより（これは、発光デバイスによって放射される光の光学的特徴又は特性の変更をもたらす隣接する第１の光学素子間の変更された及び異なる距離をもたらす）、別の形状へと形成することができる。形状は、平坦形状、円弧形状、略円筒形状、六角形状又は八角形状等の多角形状等の任意の形状であり得る。ある実施形態では、フレキシブル光源は、互いに対して１８０度異なる角度を有する複数の平坦領域を含む形状を有する。複数の第１の光学素子は、光学的特徴が第１の光学素子間の距離に依存する第１の光学デバイスとして見なすことができる。第１の光学素子間の距離の変化、及び従って、光学的特徴の変化は、フレキシブル光源であって、その上に複数の第１の光学素子及び従って第１の光学デバイスが設けられるフレキシブル光源の形状を変更することによって影響を受ける。従って、フレキシブル光源の形状は、複数の第１の光学素子の光学的特徴、又は光学的パラメータ若しくは光学的特性の値を規定する。
【０００８】
第１の光学素子は、フレキシブル光源によって放射される光の少なくとも一部の光学的パラメータの値を変更するように構成され、例えば、第１の光学素子は、光の方向を変える反射素子、又は光の色を変更する及び／若しくは光を再指向させる光散乱素子、例えば、波長変換素子を含み得る。第１の光学素子は、例えば、好適な３Ｄプリンティング技術によって製造され得る。
【０００９】
フレキシブル光源は、例えば、フレキシブルＯＬＥＤ板、又はフレキシブル基板を含む複数の光源であり得る。
【００１０】
本発明のある実施形態によれば、フレキシブル光源は、少なくとも部分的に透明であり、発光デバイスは、フレキシブル光源の第２の面に対向する第２の光出射窓を更に含み、この第２の面は、フレキシブル光源の第１の面の反対側にあり、第１の光学素子は、第２の光出射窓の方向に、フレキシブル光源によって放射される光の少なくとも一部を再指向させるように更に構成される。フレキシブル光源が少なくとも部分的に透明であるとは、フレキシブル光源の少なくとも一部が可視光に対して透過性であることを意味する。これは、２つの方向、即ちフレキシブル光源によって放射され、且つ第１の光学素子によって部分的に再指向される光を含む第１の光出射窓の第１の方向と、第１の光学素子によって再指向される光を含む第２の光出射窓の第２の方向とに光が放射される発光デバイスを有利に提供する。従って、この実施形態によれば、発光デバイスによって２つの実質的に反対の方向に２つの光ビームを放射することができる。従って、この実施形態による発光デバイスは、２つの異なる方向に放射される光、即ち、第１の光出射窓の方向に放射される光及び第２の光出射窓の方向に放射される光の光学的特徴、又は少なくとも１つの光学的パラメータ若しくは特性の値の変更を可能にする。例えば、フレキシブル光源が第１の形状として形成される場合、隣接する第１の光学素子は、第１の距離で離間され、フレキシブル光源が第１の形状と異なる第２の形状として成形される場合、隣接する第１の光学素子は、第２の距離で離間され、第２の距離は、第１の距離と異なる。第１の光学素子間の方向に、即ち第１の光学素子間の間隔又は距離の方向に放射される光は、第１の光学素子によって第２の光出射窓に向けて再指向されないか、又は限られた量だけ再指向される。第１の光学素子間の距離又は間隔を変更することにより、第１の光学素子によって第２の光出射窓に向けて再指向されない光の量が変更、例えば、増加又は減少され、その結果、第１の光学素子によって第２の光出射窓に向けて再指向される光の量も変更、例えば、減少又は増加され、且つ従って第１の光出射窓の方向に発光デバイスによって放射される光及び第２の光出射窓の方向に発光デバイスによって放射される光の両方の光学的パラメータの値又は光学的特徴若しくは特性が変更される。換言すると、２つの実質的に反対の方向に発光デバイスから放射される２つの光ビームが存在することができ、２つの光ビームの各々の少なくとも１つの光学的パラメータ又は特性の値は、フレキシブル光源の形状に依存する。
【００１１】
本発明のある実施形態によれば、フレキシブル光源は、フレキシブルライトガイドを含み、複数のアウトカップリング構造体がフレキシブルライトガイドに又はその上に設けられる。フレキシブルライトガイドは、１つ又は複数の固体光源から光を受け取り得る。アウトカップリング構造体は、例えばルミネッセント素子であり得る。フレキシブル光源の第１の面は、フレキシブルライトガイドの面であって、それに又はその上にアウトカップリング構造体が設けられるフレキシブルライトガイドの面に対応する。ある実施形態では、フレキシブルライトガイドは、第１の面で受け取られた光に対して少なくとも部分的に透過性であり、第２の光出射窓の方向に第１の光学素子によって再指向される光は、フレキシブルライトガイドを透過することができ、且つ別の面から出射する。
【００１２】
本発明のある実施形態によれば、フレキシブル光源は、フレキシブル基板上に設けられた複数の固体光源を含む。複数の固体光源は、例えば、光源が一定のピッチを有する線形アレイとして配置される。フレキシブル面の第１の面は、フレキシブル基板の面に対応し、複数の固体光源は、フレキシブル基板の第１の面上に設けられる。ある実施形態では、複数の第１の光学素子は、複数の光源と位置合わせされて配置され、即ち、各固体光源は、１つの第１の光学素子と関連付けられ、又は各固体光源は、２つの第１の光学素子間に配置される。
【００１３】
光源は、発光ダイオード、レーザダイオード、ＯＬＥＤ等の半導体系光源であり得る。
【００１４】
本発明のある実施形態によれば、フレキシブル光源は、フレキシブルな且つ少なくとも部分的に透明な基板上に設けられた複数の固体光源を含む。フレキシブル面の第１の面は、フレキシブルな且つ少なくとも部分的に透明な基板の面に対応し、複数の固体光源は、フレキシブル基板の第１の面上に設けられる。少なくとも部分的に透明な基板、即ち、基板であって、少なくともその一部が可視光を透過させる基板は、光源が光を放射する方向とは反対の方向に、固体光源によって放射される光が基板を透過することができる発光デバイスを提供する。例えば、複数の固体光源は、第１の光出射窓の方向に光を放射するように構成され、この光の一部は、第１の光学素子によって基板の方向に再指向され、且つその後、第２の光出射窓の方向に少なくとも部分的に透明な基板を透過する。従って、第１の光出射窓及び第２の光出射窓は、少なくとも部分的に透明な基板の両側に配置される。
【００１５】
本発明のある実施形態によれば、複数の第１の光学素子は、複数の光源と位置合わせされて配置される。このようにして、固体光源によって放射される光の最適なコリメーションを達成することができる。別の実施形態では、第１の光学素子は、第１の間隔で配置され、固体光源は、第２の間隔で配置され、第１の間隔は、第２の間隔と異なる。別の実施形態では、光源は、第１の光学素子間に配置される。
【００１６】
本発明のある実施形態によれば、複数の第１の光学素子の少なくとも１つは、反射素子を含む。このようにして、放射光の再指向が提供され、再指向される光の量は、フレキシブル光源の形状に依存する。
【００１７】
本発明のある実施形態によれば、複数の第１の光学素子の少なくとも１つは、波長変換素子を含む。このようにして、フレキシブル光源によって放射される光の再指向又は散乱に加えて、発光デバイスによって放射される光の色特徴も、フレキシブル光源の形状及び従って波長変換素子間の距離を変更することによって変えることができる。
【００１８】
本発明のある実施形態によれば、複数の第１の光学素子の少なくとも１つは、第１の波長範囲に対して反射性であり、且つ第１の波長範囲と異なる第２の波長範囲に対して透過性である。このようにして、発光デバイスによって放射される光の色特徴と、光の方向及び輝度分布との両方が、フレキシブル光源の形状及び従って第１の光学素子間の距離を変更することによって変えることができる。
【００１９】
本発明のある実施形態によれば、発光デバイスは、フレキシブル光源の第２の面上に複数の第２の光学素子を更に含み、隣接する第２の光学素子間の距離は、フレキシブル光源の形状に依存する。この実施形態では、フレキシブル光源の少なくとも一部が光に対して透過性である。従って、第２の光学素子は、第２の光出射窓に対向し、且つフレキシブル光源の第２の面と第２の光出射窓との間に設けられる。第２の光学素子は、フレキシブル光源の形状の変化によって引き起こされる、第２の光出射窓の方向に放射される光の少なくとも一部の少なくとも１つの光学的パラメータ又は特性の値を変えることにより、発光デバイスの光学的特徴を変更する追加の自由度を提供する。第２の光学素子は、反射素子、波長変換素子、又は第１の光学素子に関して上記及び下記の任意の他の種類の光学素子を含み得る。更に、第２の光学素子の形状は、第１の光学素子に関して記載された任意の形状であり得る。
【００２０】
例えば、フレキシブル光源が第１の形状として形成される場合、隣接する第１の光学素子は、第１の距離で離間され、隣接する第２の光学素子は、第３の距離で離間される。フレキシブル光源が第２の形状として成形される場合、隣接する第１の光学素子は、第２の距離で離間され、隣接する第２の光学素子は、第４の距離で離間され、第２の距離は、第１の距離と異なり、及び第３の距離は、第４の距離と異なる。これらの異なる距離は、少なくとも１つの異なる光学的特徴又は特性、並びに第１の光出射窓の方向に発光デバイスによって放射される光及び第２の光出射窓の方向に発光デバイスによって放射される光の両方の少なくとも１つの光学的パラメータの異なる値をもたらす。
【００２１】
本発明のある実施形態によれば、第１の光学素子は、平坦な上面を有するピラミッド又は円錐形状を有し、ピラミッド又は円錐形状の底部は、フレキシブル光源の第１の面上に配置され、隣接する光学素子間の距離は、平坦な上面間の間隔によって規定される。隣り合う又は隣接するピラミッド又は円錐形状の光学素子間の間隔又は距離は、この場合、ピラミッド又は円錐形状の平坦な上面間の最短距離として規定され得る。フレキシブル基板の特定の形状の場合、ピラミッド又は円錐形状の光学素子間の距離は、ゼロよりも大きく、従って開口部がピラミッド又は円錐の最上部間に画定される。この場合、フレキシブル光源によって放射される光は、第１の光学素子によって影響を受ける光、及び第１の光学素子によって影響を受けない光（なぜなら、光のこの部分は、隣接するピラミッド又は円錐間の開口部を通って第１の光出射窓から出射するからである）の混合物である。フレキシブル基板は、ピラミッド若しくは円錐形状の光学素子の上面及び側面間の距離がゼロであるように、又は換言すると、隣り合う若しくは隣接するピラミッド若しくは円錐形状の光学素子の上面及び側面が接触するように成形され得る。この場合、第１の光学素子間に開口部は存在せず、全ての放射光は、第１の光学素子によって影響を受ける。第１の光学素子の平坦な上面上には、再指向素子、反射素子又は波長変換素子が設けられ得る。ピラミッド又は円錐形状の光学素子の底部又は底面間の距離はゼロであり得、即ち、第１の光学素子は、フレキシブル光源の第１の面上で互いに接触するか、又は隣り合う光学素子の底部面間に間隔が存在し得る。他の実施形態では、ピラミッド又は円錐形状の第１の光学素子は、平坦な上面を有さない。別の実施形態では、第１の光学素子は円筒として成形される。
【００２２】
本発明のある実施形態によれば、フレキシブル光源は、円筒形状として成形されるように適応される。これは、円筒形状のデバイスの周囲全体に光を放射することができる発光デバイスを提供する。一例では、フレキシブル基板の第１の面は、フレキシブル基板の円筒形状の外向き面に対応する。
【００２３】
本発明のある実施形態によれば、複数の第１の光学素子は、２次元アレイで配置される。この行及び列の配置は、フレキシブル光源の形状を２つの方向において変更することにより、１つ又は複数の光学的特徴、例えば、２次元光分布を変更する追加の自由度を提供する。ある実施形態では、複数の光源も２次元アレイで配置される。
【００２４】
本発明のある実施形態によれば、発光デバイスは、フレキシブル光源の所定の形状を固定するように構成された接続手段を更に含む。このようにして、発光デバイスは、所定の光学的特徴、又は例えば第１の光出射窓から及び任意選択的に同様に第２の光出射窓から放射される所定の光分布などの光学的パラメータの所定の値に対応する所定の形状に固定することができる。接続手段は、異なる光学的特徴、例えば異なる光分布等が必要とされる場合、発光デバイスを異なる所定の形状に固定するように構成される。
【００２５】
本発明のある実施形態によれば、フレキシブル光源は、第２の光出射窓の方向にも光を放射するように更に構成される。第２の光出射窓を介して発光デバイスによって放射される光の少なくとも一部の少なくとも１つの光学的パラメータ又は特性の値は、フレキシブル光源の第２の形状と比較して、フレキシブル光源の第１の形状では異なる。これは、光の指向性及び光学的特徴の制御における適応性の向上を提供する。ある実施形態では、複数の第２の光源は、面であって、その上に複数の第１の光源が配置される面とは反対側である、フレキシブルな且つ少なくとも部分的に透明な基板の面上に配置される。別の実施形態では、光アウトカップリング特徴が、ライトガイドの２つの反対の面に又はそれらの上に設けられる。更に別の実施形態では、２つの反対の面から光を放射するＯＬＥＤが設けられる。
【００２６】
本発明は、上記に列挙された実施形態の何れかによる発光デバイスを含む照明器具にも関する。
【００２７】
本発明の第２の態様によれば、第１の光出射窓を有し、第１の光出射窓に対向する第１の面を有し、且つ第１の光出射窓の方向に光を放射するように構成されたフレキシブル光源と、フレキシブル光源の第１の面上に設けられた複数の第１の光学素子とを含む発光デバイスによって放射される光の少なくとも一部の少なくとも１つの光学的パラメータの値を変更する方法が提供され、この方法は、フレキシブル光源を第１の形状から第２の形状に変更し、それによって隣接する第１の光学素子間の距離を変更するステップと、発光デバイスによって放射される光の少なくとも一部の光学的パラメータの値を変更するステップとを含む。
【００２８】
本発明の更なる特徴及び本発明を用いる利点は、添付の特許請求の範囲及び以下の記載を研究すれば明白となるであろう。当業者は、本発明の異なる特徴を組み合わせて、本発明の範囲から逸脱することなく、以下に記載される実施形態以外の実施形態を作り出し得ることを理解する。
【００２９】
これより、本発明のこれら及び他の態様が本発明の実施形態例を示す添付の図面を参照してより詳細に説明される。
【図面の簡単な説明】
【００３０】
【図１Ａ】本発明による発光デバイスの異なる形状の実施形態例を概略的に示す。
【図１Ｂ】本発明による発光デバイスの異なる形状の実施形態例を概略的に示す。
【図１Ｃ】本発明による発光デバイスの異なる形状の実施形態例を概略的に示す。
【図２Ａ】本発明による発光デバイスの異なる形状の実施形態例を概略的に示す。
【図２Ｂ】本発明による発光デバイスの異なる形状の実施形態例を概略的に示す。
【図２Ｃ】本発明による発光デバイスの異なる形状の実施形態例を概略的に示す。
【図３】本発明による発光デバイスの実施形態例を概略的に示す。
【図４】本発明による発光デバイスの実施形態例を概略的に示す。
【図５】本発明による発光デバイスの実施形態例を概略的に示す。
【図６】本発明による発光デバイスの実施形態例を概略的に示す。
【図７】本発明による発光デバイスの実施形態例を概略的に示す。
【図８】本発明による発光デバイスの実施形態例を概略的に示す。
【図９】本発明による発光デバイスの実施形態例を概略的に示す。
【図１０】本発明による発光デバイスの実施形態例を概略的に示す。
【図１１Ａ】本発明による発光デバイスの異なる形状の実施形態例を概略的に示す。
【図１１Ｂ】本発明による発光デバイスの異なる形状の実施形態例を概略的に示す。
【図１２Ａ】本発明による発光デバイスの異なる形状の実施形態例を概略的に示す。
【図１２Ｂ】本発明による発光デバイスの異なる形状の実施形態例を概略的に示す。
【図１２Ｃ】本発明による発光デバイスの異なる形状の実施形態例を概略的に示す。
【図１３Ａ】本発明による発光デバイスの異なる形状の実施形態例を概略的に示す。
【図１３Ｂ】本発明による発光デバイスの異なる形状の実施形態例を概略的に示す。
【図１４】本発明による発光デバイスの実施形態例を概略的に示す。
【図１５】本発明による発光デバイスの実施形態例を概略的に示す。
【発明を実施するための形態】
【００３１】
本発明の現在好適な実施形態が示される添付の図面を参照して、本発明が以下により詳細に説明される。但し、本発明は、多くの異なる形態で具体化することができ、本明細書に記載される実施形態に限定されると見なされるものではなく、これらの実施形態は、徹底性及び完全性のために提供され、且つ本発明の範囲を当業者に十分に伝える。同様の参照符号は全体を通して同様の要素を指す。
【００３２】
図１Ａ、図１Ｂ及び図１Ｃは、本発明のある実施形態による発光デバイス１１０の異なる形状の概略図を示す。発光デバイス１１０は、フレキシブル基板１５上に配置された複数の固体光源、この例では発光ダイオード２０を含む。基板１５は、好適な可撓性材料から成り、別の２次元又は３次元形状に曲げられるか又は屈曲されるように構成される。別の形状への基板の曲げ又は屈曲は、ユーザインタラクションにより、又は任意の好適な制御、例えば機械的にデバイスによって行われ得る。この実施形態において、基板１５は透明ではなく、例えば、それは、反射基板又は反射層を有する基板であり得る。発光デバイス１１０は、発光ダイオード２０によって放射される光の波長範囲を別の波長範囲に変換するように構成された波長変換素子３２をそれぞれ備えた複数の第１の光学素子３０を更に含む。第１の光学素子３０は、この場合、ピラミッド又は円錐形状であり、ピラミッド又は円錐形状の第１の光学素子３０の各底部は、フレキシブル基板１５の第１の面１１上に配置される。第１の光学素子は、例えば、ポリマー、ガラス、ＰＭＭＡ、ポリカーボネート、シリコーン、架橋ポリマー等の透明材料を含み得る。ピラミッド又は円錐形状の第１の光学素子３０は、平坦な上面であって、その上に波長変換素子３２が配置される平坦な上面を有する。第１の光学素子は、円筒、円錐、ブロック等の他の形状を有し、及び例えば３Ｄプリンティングを用いて製造され得る。波長変換素子３２の例は、有機及び無機蛍光体並びに量子ドットである。
【００３３】
発光デバイスは、第１の光出射窓（不図示）を有する。第１の光学素子３０及び同様に波長変換素子３２は、第１の光出射窓に対向し、又は換言すれば第１の光出射窓は、基板１５の第１の面１１の側にある。光出射窓は、発光デバイスが動作中である場合に光が放射される発光デバイス１１０の領域を画定する。従って、発光デバイス１１０は、第１の光出射窓を介して光を放射するように構成される。
【００３４】
この実施形態では、第１の光学素子３０の底部は、基板１５の第１の面１１上で接触しているが、他の実施形態（不図示）では、第１の光学素子３０の底部は、間に間隔を有して、即ち離間して配置される。
【００３５】
この実施形態では、第１の光学素子３０は、発光ダイオード２０と位置合わせされて配置され、即ち、各発光ダイオード２０は、第１の光学素子３０を備える。別の実施形態では、２つ以上の発光ダイオード２０が１つの第１の光学素子３０を備える。別の実施形態では、発光ダイオード２０は、離間された第１の光学素子３０間に配置される。更に他の実施形態では、第１の光学素子は、発光ダイオードと異なる間隔で離間される。
【００３６】
図１Ａは、フレキシブル基板１５の第１の形状を示し、図１Ｂは、フレキシブル基板１５の第２の形状を示し、図１Ｃは、フレキシブル基板１５の第３の形状を示す。図１Ａに示されるように、フレキシブル基板１５の第１の形状は、フレキシブル基板１５が曲げられていない又は屈曲されていない、線形又は２次元の、及び略平坦な形状である初期形状である。フレキシブル基板１５の第１の形状は、例えば波長変換素子３２間の最短距離として規定される、第１の光学素子３０間の第１の距離９１をもたらす。発光ダイオード２０によって放射される光の一部は、図中で矢印５によって示されるように、波長変換素子３２に入射する。波長変換素子３２に入る光の一部は、図中で矢印８によって示されるように、再指向され、別の波長範囲に変換され、第１の光出射窓の方向に波長変換素子３２から放射され、且つ続いて第１の光出射窓を介して発光デバイス１１０から出射する。発光ダイオード２０によって放射される光の別の一部は、図中で矢印６によって示されるように、第１の光学素子３０間を、即ちこの場合、波長変換素子３２間の間隔を通って伝播され（波長変換なし）、従って、第１の光学素子３０の少なくとも一部によって及び／又は波長変換素子３２によって影響を受けず、且つ第１の光出射窓を介して発光デバイスから出射する。波長変換素子３２に入る光の別の一部は、フレキシブル基板１５の方向に再指向され、基板から第１の光出射窓（不図示）の方向に反射され得る。この再指向された光の一部は変換され、別の部分は変換されない。従って、第１の形状は、光源によって放射される光を部分的に変換し、光源によって放射される光を部分的に変換しないか、又は限られた範囲内で変換し、発光デバイスによって放射された変換光及び非変換光の第１の混合物をもたらす発光デバイスを提供する。
【００３７】
図１Ｂに示されるように、この場合、フレキシブル基板１５が第１の光学素子３０の方向に内側に屈曲されているか又は曲げられている、円弧形状、又は部分的に円筒形、六角形若しくは八角形状であるフレキシブル基板１５の第２の形状は、接触する第１の光学素子３０及びこの場合、接触する波長変換素子３２ももたらす。この実施形態では、発光ダイオード２０によって放射された全ての光は、図中で矢印５によって示されるように、波長変換素子３２に入射し、入射光の大部分は、別の波長範囲に変換され、且つ続いて矢印８によって示されるように、第１の光出射窓を介して発光デバイス１１０から出射し、入射光の別の一部は、部分的に変換されて基板１５の方向に再指向され、且つ続いて波長変換素子３２の方向に反射し返される（不図示）。従って、この場合、発光ダイオード２０によって放射された全ての光が、波長変換素子３２によって影響を受け、従って変換される。従って、第２の形状は、光源によって放射される光を変換して、第１の混合物と異なる、発光デバイスによって放射された変換光及び非変換光の第２の混合物をもたらす発光デバイスを提供し、即ち、この第２の形状の場合、第１の形状の場合よりも比較的多くの光が変換される。
【００３８】
図１Ｃに示されるように、フレキシブル基板１５の第３の形状は、この場合、フレキシブル基板１５が第２の形状の曲げ方向とは反対の第１の光学素子３０から離れる方向に外側に屈曲されているか又は曲げられている、円弧形状、又は部分的に円筒形、六角形若しくは八角形状である。第３の形状は、例えば、波長変換素子３２間の最短距離として規定される、第１の光学素子３０間の第２の距離９２をもたらす。第２の距離９２は、この場合、第１の距離９１よりも大きく、従って、フレキシブル基板１５が第３の形状を有する場合、第１の形状と比較して及び第２の形状とも比較して、発光ダイオード２０によって放射される光のより少ない量が波長変換素子３２によって影響を受ける。変換光の量の変化の結果、第１の形状の場合の第１の光出射窓を介して放射される光の色は、第３の形状の場合の第１の光出射窓を介して放射される光の色と異なり、第２の形状の場合の第１の光出射窓を介して放射される光の色は、第３の形状の場合の第１の光出射窓を介して放射される光の色と異なる。従って、第３の形状は、光源によって放射される光を変換して、第１及び第２の混合物と異なる、発光デバイスによって放射された変換光及び非変換光の第３の混合物をもたらす発光デバイスを提供し、即ち、この第３の形状の場合、第１の形状の場合よりも比較的少ない光が変換される。従って、異なる形状の発光デバイスを有することにより、第１の光出射窓を介して放射される光の色特徴が異なる。例えば、このような発光デバイス１１０を含む照明器具は、発光デバイス１１０の形状によって放射光の色を調整することができる照明器具として使用することができる。
【００３９】
図２Ａ、図２Ｂ及び図２Ｃは、本発明のある実施形態による発光デバイス１００の異なる形状の概略図を示す。図１Ａ、図１Ｂ及び図１Ｃに示される実施形態との相違点は、波長変換素子３２が反射素子３１によって置き換えられる点である。別の相違点は、フレキシブル基板が、この場合、少なくとも部分的に透明である（フレキシブル基板１０の少なくとも一部が可視光に対して透過性であることを意味する）点である。例えば、基板１０は、例えばＰＭＭＡ、ＰＣ、ＰＥＴなどのプラスチック又はガラスから成る。
【００４０】
この実施形態における発光デバイス１００は、第１の光出射窓及び追加的に第２の光出射窓（図では不図示）を含む。第１の光学素子３０及び同様に反射素子３１は、第１の光出射窓に対向し、又は換言すれば第１の光出射窓は、基板１０の第１の面１１の側にある。第２の光出射窓は、第１の光出射窓の反対側にあり、第１の面１１とは反対側の基板１０の面に対向する。第１及び第２の光出射窓は、光を放射することができる発光デバイス１００の領域を画定する。従って、発光デバイス１００は、第１の光出射窓を介して、及び第２の光出射窓を介して光を放射するように構成される。
【００４１】
図２Ａは、フレキシブル基板１０の第１の形状を示し、図２Ｂは、フレキシブル基板１０の第２の形状を示し、図２Ｃは、フレキシブル基板１０の第３の形状を示す。図２Ａに示されるように、フレキシブル基板１０の第１の形状は、フレキシブル基板１０が曲げられていない又は屈曲されていない、線形又は２次元形状及び略平坦な形状である初期形状である。第１の形状は、例えば反射素子３１間の最短距離として規定される、第１の光学素子３０間の第１の距離９１をもたらす。発光ダイオード２０によって放射される光の一部は、図中で矢印５によって示されるように、反射素子３１に入射し、且つ図中で矢印７によって示されるように、フレキシブル基板１０の方向に再指向され、この光の一部は、部分的に透明及びフレキシブルな基板１０を透過し、且つ続いて第２の光出射窓を介して発光デバイスから出射する。発光ダイオード２０によって放射される光の別の一部は、図中で矢印６によって示されるように、第１の光学素子３０間を、即ちこの場合、反射素子３１間の間隔を通って伝播され、第１の光学素子３０及び／又は反射素子３１によって影響を受けず、且つ第１の光出射窓を介して発光デバイスから出射する。
【００４２】
図２Ｂに示されるように、この場合、フレキシブル基板が第１の光学素子３０の方向に内側に屈曲されているか又は曲げられている、円弧形状、又は部分的に円筒形状であるフレキシブル基板１０の第２の形状は、接触する第１の光学素子３０及びこの場合接触する反射素子３１ももたらす。この実施形態では、発光ダイオード２０によって放射された全ての光は、図中で矢印５によって示されるように、反射素子３１によって少なくとも部分的に透明な基板１０の方向に反射され、続いて少なくとも部分的に透明な基板１０を透過し、図中で矢印７によって示されるように、第２の光出射窓を介して発光デバイス１００から出射する。従って、この場合、全ての光が第２の光出射窓を介して放射される。
【００４３】
図２Ｃに示されるように、この場合、フレキシブル基板が第２の形状の曲げ方向とは反対の第１の光学素子３０から離れる方向に外側に屈曲されているか又は曲げられている、円弧形状又は部分的に円筒形状であるフレキシブル基板１０の第３の形状である。これは、例えば、反射素子３１間の最短距離として規定される、第１の光学素子３０間の第２の距離９２をもたらす。第２の距離９２は、この場合、第１の形状の第１の距離９１よりも大きく、従って、フレキシブル基板がこの第３の形状を有する場合、発光ダイオード２０によって放射される光のより少ない量が反射素子３１によって影響を受ける。反射素子３１によって反射される光の量の低減の結果、第１の光出射窓を介して放射される光の量は増加され（第１の形状に対して）、第１の形状と比較して、この第３の形状の場合、第２の光出射窓を介して放射される光の量は低減される。従って、異なる形状の発光デバイスを有することにより、第１の光出射窓及び第２の光出射窓を介して放射される光学的特徴若しくは特性、又は光学的パラメータの値、この場合、例えば光の量、即ち輝度が異なる。例えば、このような発光デバイス１００を含む照明器具は、光が２つの反対方向に放射されるアップダウン照明器具として使用することができ、両方向の輝度比は、発光デバイス１００の形状によって調整することができる。
【００４４】
ある実施形態（不図示）では、反射素子３１は選択的に反射性であり、即ち、反射素子３１は、可視波長範囲の一部を反射し、残りの波長範囲に対して透過性であるように構成される。
【００４５】
ある実施形態（不図示）では、発光デバイス１００の反射素子３１は、波長変換素子３２によって置き換えられ、この場合、第１の光出射窓を介して放射される光の色及び第２の光出射窓を介して放射される光の色の両方が、発光デバイスの形状によって調整され得る。別の実施形態では、反射素子及び波長変換素子の組み合わせ、例えば、第１の光学素子上に交互に設けられた波長変換素子及び反射素子が設けられる。
【００４６】
図１及び図２に関する上記実施形態の第１の光学素子の形状は、ピラミッド又は円錐形状である。他の実施形態では、第１の光学素子は、付加製造技術等の３Ｄプリンティング技術を用いて製造することができる、円筒形状等の他の好適な形状を有する。図３、図４及び図５は、例として、第１の光学素子４０の上に反射素子４１が配置された発光デバイス１２０、１２２、１２４のブロック形状の第１の光学素子４０の概略図を示す。フレキシブルな且つ任意選択的に少なくとも部分的に透明な基板１０が屈曲されないか又は曲げられず、第１の光学素子４０及び同様に反射素子４１が第１の距離９１で離間された概して平坦な形状である初期形状を有する。他の実施形態では、反射素子４１は、波長変換素子又はその他の好適な光学素子によって置き換えられる。図３に示される発光デバイス１２０は、図１及び図２に示されたものと同様の要素を有し得る。図４の実施形態では、ブロック形状の第１の光学素子４０及び反射素子４１は初期状態で接触する。この実施形態では、フレキシブル基板１０は、第１の光学素子４０が第１の光出射窓の方向へのフレキシブル基板１０の屈曲又は成形を妨げる（阻止する）ため、１つの方向、即ち第２の光出射窓の方向にのみ曲げるか又は成形することができる。図５の実施形態では、ブロック形状の第１の光学素子４０は、第１の距離９１で離間され、反射素子４１は初期状態で接触している。この実施形態では、反射素子４１は、第１の光学素子４０の上面の表面積よりも大きい表面積を有する。
【００４７】
図６は、一例として、第１の光学素子５０の上に反射素子５１が配置された発光デバイス１３０の円弧形状の第１の光学素子５０の概略図を示す。
【００４８】
図７は、一例として、第１の反射素子３１を有するピラミッド形状の第１の光学素子３０及び第２の反射素子４１を有するブロック形状の第１の光学素子４０を交互に含む発光デバイス１３５の概略図を示す。
【００４９】
図８は、一例として、第１の光学素子の平坦な上面がフレキシブル基板１０の第１の面１１上に配置され、第１の光学素子６０の底部が第１の光出射窓に対向するピラミッド又は円錐形状の第１の光学素子６０を含む発光デバイス１４０の概略図を示す。更に、発光ダイオード２０がフレキシブル基板１０の第１の面１１上で第１の光学素子６０間に設けられる。
【００５０】
図９は、本発明のある実施形態による発光デバイス１４５の概略図を示す。図２に示される実施形態との相違点は、フレキシブルな且つ少なくとも部分的に透明な基板１０及び発光ダイオード２０が、固体発光体２１（例えば発光ダイオード）から光を受け取るフレキシブルライトガイド１７と、フレキシブルライトガイド１７の中から光を第１の光学素子３０及び第１の光出射窓の方向に結合させるための光アウトカップリング素子２２とによって置き換えられる点である。例えば、フレキシブルライトガイド１７は、例えばＰＭＭＡ、ＰＣ、ＰＥＴなどのプラスチック又はガラスから成る。ある実施形態では、ライトガイドは、低屈折率のクラッド層も含む。アウトカップリング素子２２は、例えば、ルミネッセント素子、表面構造、回折パターン、散乱領域、及び／又は粗面化領域を含む。
【００５１】
図１０は、本発明のある実施形態による発光デバイス１５０の概略図を示す。図２に示される実施形態との相違点は、フレキシブル基板１０及び発光ダイオード２０が、第１の光出射窓の方向及び任意選択的に第２の光出射窓の方向にも光を放射するように構成されたフレキシブルＯＬＥＤデバイス２３によって置き換えられる点である。
【００５２】
図１１Ａ及び図１１Ｂは、本発明のある実施形態による発光デバイス１５５の異なる形状の概略図を示す。図２に示される実施形態との相違点は、追加的に、第２の光学素子３５（この場合、ピラミッド又は円錐形状）が、フレキシブルな且つ少なくとも部分的に透明な基板１０の第２の面１２（この第２の面１２は、フレキシブル基板１０の第１の面１１の反対側であり、第２の光出射窓に対向する）上に設けられる点である。更なる反射素子３２が第２の光学素子３５の平坦な上面上に設けられる。更に、この実施形態では、発光ダイオード２０もフレキシブル基板１０の第２の面１２上に配置される。但し、別の実施形態（不図示）では、発光ダイオード２０は、フレキシブル基板１０の第１の面１１上にのみ配置される。第１の光学素子３０上に設けられた反射素子３１によって再指向され、且つ半透明及びフレキシブルな基板１０を透過した光は、複数の第２の光学素子３５及び更なる反射素子３２によって部分的に影響を受ける。更に、同様に、フレキシブル基板１０の第２の面１２上に配置された発光ダイオード２０によって放射され、且つ第２の光学素子３５上に配置された更なる反射素子３２によって再指向された光は、第１の光出射窓の方向に少なくとも部分的に半透明基板１０を透過し、且つ第１の光学素子３０及び反射素子３１によって少なくとも部分的に影響を受ける。従って、第１の光出射窓を介して放射される光は、フレキシブル基板１０の第１の面１１上に配置された発光ダイオード２０によって放射される光と、フレキシブル基板１０の第２の面１２上に配置された発光ダイオード２０によって放射され、且つ更なる反射素子３２によって再指向された光との組み合わせである。同様に、第２の光出射窓を介して放射される光は、フレキシブル基板１０の第２の面１２上に配置された発光ダイオード２０によって放射される光と、フレキシブル基板１０の第１の面１１上に配置された発光ダイオード２０によって放射され、且つ反射素子３１によって再指向された光との組み合わせである。この場合、発光デバイスは、２つの実質的に反対の方向に２つの光ビームを生成し、各光ビームの少なくとも１つの光学的特性は、フレキシブル基板の形状を変更することによって調整されるか又は影響を受けることができる。
【００５３】
図１１Ｂは、フレキシブル基板が波形状である、即ち２つの反対方向に屈曲されているか又は曲げられている、発光デバイス１５５の第４の形状を示す。第１の光学素子３０及び反射素子３１間の距離９１は、フレキシブル基板に沿って／わたって変化し（及び特定の場所ではゼロにさえなり得る）、且つ同様に、第２の光学素子３５及び更なる反射素子３２間の距離９２は、変化し（及び特定の場所ではゼロにさえなり得る）、従って第１及び第２の距離が変化する。このようにして、発光デバイス１５５のフレキシブル基板１０の特定の形状は、複数の第１の光学素子３０及び複数の第２の光学素子３５の光学的特徴がフレキシブル基板１０に沿って／わたって変化するため、第１及び第２の光出射窓にわたって光学的特徴の変化を提供する。換言すると、１つ若しくは複数の光学的特徴若しくは特性、又は光学的パラメータの値は位置に依存する。
【００５４】
図１２Ａ、図１２Ｂ及び図１２Ｃは、本発明のある実施形態による発光デバイス１６０の異なる形状の概略図を示す。図１１Ａ、図１１Ｂに示される発光デバイス１５５との相違点は、更なる反射素子３２が波長変換素子３３によって置き換えられ、且つ第１及び第２の接続手段又はコネクタ８１、８２がフレキシブル基板１０の両端に設けられる点である。第１及び第２のコネクタ８１、８２は、フレキシブル基板１０の特定の形状が、接続されたコネクタ８１、８２によって提供される機械的接続によって固定されるように、互いに固定されるか又は機械的に接続されるように構成される。第１及び第２のコネクタ８１、８２は、例えば、第１及び第２の磁石、クリック接続等の機械的コネクタ及び／又は接着剤を含む。
【００５５】
図１２Ａは、第１の光学素子３０及び反射素子３１が第１の距離９１で離間され、且つ第２の光学素子３５及び波長変換素子３３が第２の距離９２で離間された略平坦な形状である、発光デバイス１６０のフレキシブル基板１０の初期形状の概略図を示す。
【００５６】
図１２Ｂは、この場合、波長変換素子３３が略円筒形状の外面に配置され、反射素子３１が略円筒形状の内面に配置される略円筒形状に対応する、フレキシブル基板１０の第１の屈曲された又は曲げられた形状を示す。波長変換素子３３は、フレキシブル基板１０の初期形状の第２の距離９２と異なる第４の距離９４で離間される。この例では、第１の光学素子３０及び反射素子３１は接触しており、即ち、隣り合う第１の光学素子３０及び隣り合う反射素子３１間の距離はゼロである。但し、別の実施形態では、この距離は、ゼロよりも大きいが、初期形状によって規定された第２の距離９２よりも小さい。フレキシブル基板１０のこの第１の屈曲形状は、発光デバイス１６０のこの第１の屈曲形状の固定した且つ確実な構造を提供する第１及び第２の接続手段又はコネクタ８１、８２を接続することによって固定される。
【００５７】
図１２Ｃは、この実施形態では、波長変換素子３３が略円筒形状の内面に配置され、反射素子３１が略円筒形状の外面に配置されるため、図１２Ｂの実施形態の逆である略円筒形状に対応するフレキシブル基板１０の類似した第２の屈曲された又は曲げられた形状を示す。反射素子３１は、フレキシブル基板１０の初期形状の第１の距離９１と異なる第３の距離９３で離間される。この例では、第２の光学素子３５及び波長変換素子３３は接触しており、即ち、隣り合う第２の光学素子３５及び隣り合う波長変換素子３３間の距離はゼロである。但し、別の実施形態では、この距離は、ゼロよりも大きいが、初期形状によって規定された第１の距離９１よりも小さい。フレキシブル基板１０のこの第２の屈曲形状もまた、発光デバイス１６０のこの第２の屈曲形状の固定した且つ確実な構造を提供する第１及び第２の接続手段又はコネクタ８１、８２を接続することによって固定される。
【００５８】
図１３Ａ及び図１３Ｂは、本発明のある実施形態による発光デバイス１６５の異なる形状の概略図を示す。図１２Ａ、図１２Ｂ、図１２Ｃに示される発光デバイス１６０との相違点は、第３の接続手段又はコネクタ８３がフレキシブル基板１０の両端に配置される第１及び第２の光学素子３０、３５上に配置される点である。第３のコネクタ８３は、反対のコネクタ同士が第４の接続手段又はコネクタ８４によって機械的に接続することができるように構成される。第３及び第４のコネクタによって固定されたフレキシブル基板１０の略半円筒形状又は円弧形状を示す図１３Ｂに示されるように、第３の接続手段又はコネクタ８３は、例えば、環を含み、第４の接続手段又はコネクタ８４は、例えば、２つの反対の第３のコネクタ８３に固定されるロープを含む。同様に、第２の光学構造体３５に又はその上に配置された第３のコネクタ８３は、第４のコネクタ８４を介して機械的に接続されて、発光デバイス１６５の別の固定形状（不図示）をもたらし得る。第４のコネクタ８４の長さを変えることにより、フレキシブル基板１０の両端間の距離が変えられ、及びフレキシブル基板１０の別の所定の形状が固定される。従って、この場合のコネクタは、フレキシブル基板１０の両端間の距離を適応させる手段を含む。第４の接続手段又はコネクタ８４がロープである場合、それは、フレキシブル基板１０がその元の又は初期状態に戻るように曲がるか又は屈曲することを回避する。第４の接続手段又はコネクタ８４は、別の実施形態では、剛性ロッド及びワイヤを含み得る。
【００５９】
図１４は、本発明のある実施形態による発光デバイス１７０の角形状の概略図を示す。図２に示される発光デバイス１００との相違点は、この例では９０度の角度を有する角度の付いた角８０を含むフレキシブル基板１０の形状を提供するようにフレキシブル基板１０が屈曲されたフレキシブル基板１０の角形状である。９０度の角度の付いた角は、９０度の角８０によって分離される２つの平坦領域に基板を分ける。
【００６０】
図１５は、本発明のある実施形態による発光デバイス１７５の上面図を示す。図２に示される実施形態と同様に、発光デバイス１７５は、平坦な上面上の反射素子３１を含むピラミッド形状の第１の光学素子３０、及びフレキシブルな且つ少なくとも部分的に透明な基板１０の第１の面上に設けられた発光ダイオード２０を含む。別の実施形態（不図示）では、反射素子の代わりに波長変換素子が設けられる。概略上面図は、フレキシブル基板１０の第１の面の上に突出する。この例では、複数の発光ダイオード２０及び反射素子３１を含む複数の第１の光学素子３０は、隣り合う第１の光学素子３０が底部又は底面で互いに接触する２次元アレイとして共に配置される。本発明のこの実施形態は、点線Ａ−Ａ’及びＢ−Ｂ’によって示されるように、フレキシブル基板１０が２つの方向に同時に又は別々に屈曲されるか又は曲げられることができるため、発光デバイス１７５の光学的特徴を変更する追加の自由度を提供する。Ａ−Ａ’を軸にフレキシブル基板１０を屈曲させることにより、Ｂ−Ｂ’方向における隣り合う又は隣接する第１の光学素子３０間の距離が変えられる。同様に、Ｂ−Ｂ’を軸にフレキシブル基板１０を屈曲させることにより、Ａ−Ａ’方向における隣り合う又は隣接する第１の光学素子３０間の距離が変えられる。この２次元アレイのレイアウトは、他の上記の実施形態に適用することもできる。
【００６１】
上記の実施形態は、本発明による発光デバイスの幾つかの例である。波長変換素子を反射素子と組み合わせる等の異なる形状の第１及び第２の光学素子など、本発明の範囲内の異なる組み合わせを作ることができる。例えば、第１の光学素子は、ダイクロイックリフレクタ、鏡面リフレクタ、拡散器、波長変換器、屈折器、及び／若しくは回折器の組み合わせ又は少なくとも部分的にダイクロイックリフレクタ、鏡面リフレクタ、拡散器、波長変換器、屈折器、及び／若しくは回折器であり得る。更に、回折、屈折、反射、散乱、及び／又は波長変換の何れか１つである層が第１の光学素子上に設けられ得る。また、フレキシブル基板は、光出射窓が１つのみ必要とされる場合に反射性であり得、且つそれは２つの異なる及び反対の光出射窓が必要とされる場合に少なくとも部分的に透明であり得る。フレキシブル光源用のドライバ電子機器は、例えば、第１及び／又は第２の光学素子上に設けられた反射素子上に設けられ得る。本明細書では、とりわけ、動作中のデバイスが記載される。当業者には明らかとなるように、本発明は、動作方法又は動作中のデバイスに限定されない。
【００６２】
クレームにおいて、「含む」という語は、他の要素又はステップを排除せず、不定冠詞「１つの（a）」又は「１つの（an）」は複数を排除しない。本発明は、幾つかの異なる要素を含むハードウェアを用いて、及び好適にプログラムされたコンピュータを用いて実施され得る。幾つかの手段を列挙する装置クレームにおいて、これらの手段の幾つかは、同一のハードウェアアイテムによって具体化され得る。特定の手段が互いに異なる従属クレームに記載されているという事実のみでは、これらの手段の組み合わせを有利に使用できないことを意味しない。
【図１Ａ】
2017531318.tif 000003
【図１Ｂ】
2017531318.tif 000004
【図１Ｃ】
2017531318.tif 000005
【図２Ａ】
2017531318.tif 000006
【図２Ｂ】
2017531318.tif 000007
【図２Ｃ】
2017531318.tif 000008
【図３】
2017531318.tif 000009
【図４】
2017531318.tif 000010
【図５】
2017531318.tif 000011
【図６】
2017531318.tif 000012
【図７】
2017531318.tif 000013
【図８】
2017531318.tif 000014
【図９】
2017531318.tif 000015
【図１０】
2017531318.tif 000016
【図１１Ａ】
2017531318.tif 000017
【図１１Ｂ】
2017531318.tif 000018
【図１２Ａ】
2017531318.tif 000019
【図１２Ｂ】
2017531318.tif 000020
【図１２Ｃ】
2017531318.tif 000021
【図１３Ａ】
2017531318.tif 000022
【図１３Ｂ】
2017531318.tif 000023
【図１４】
2017531318.tif 000024
【図１５】
2017531318.tif 000025
【国際調査報告】
2017531318.tif 000026
2017531318.tif 000027
2017531318.tif 000028